(57)【要約】【課題】エスカレーターの踏段において、既存の踏段から簡易に実現でき、かつ、踏段の左右方向の端部での注意喚起の効果を高くできる構造を実現することである。【解決手段】少なくとも一部の踏段３０は、利用者が乗る踏板３３であって、左右方向に並んでそれぞれ進行方向に沿って形成された複数の踏板クリート溝３４を有する踏板と、踏板の進行方向一端に連結された立ち上がり部であるライザーと、踏板クリート溝に配置された警告表示部４１と、踏段に取り付けられた電池とを含む。警告表示部は、左右方向端部の踏板クリート溝に嵌め込まれた長尺薄板状の基板４３と、基板の上部に取り付けられ、電池により電力が供給される複数のライト部４２とを有し、複数のライト部４２の点灯または点滅によって利用者に注意を喚起する。【選択図】図３
2018167931.tif 000002
【特許請求の範囲】
【請求項１】
複数個の踏段を無端状に連結した状態で循環移動するエスカレーターの踏段であって、
少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、
前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起する、エスカレーターの踏段。
【請求項２】
請求項１に記載のエスカレーターの踏段において、
前記ライザーは、左右方向に並んでそれぞれ立ち上がり方向に沿って形成された複数のライザークリート溝を有し、
前記電池は、左右方向端部の前記ライザークリート溝に嵌め込まれる、エスカレーターの踏段。
【請求項３】
請求項２に記載のエスカレーターの踏段において、
前記電池は、長尺薄板状の太陽電池である、エスカレーターの踏段。
【請求項４】
請求項１から請求項３のいずれか１に記載のエスカレーターの踏段において、
前記警告表示部の前記基板は、前記踏板クリート溝の底部にネジ止めまたは両面テープにより固定される、エスカレーターの踏段。
【請求項５】
請求項１から請求項４のいずれか１に記載のエスカレーターの踏段において、
前記複数のライト部は、前記基板の上部に直線状に並んで取り付けられる，エスカレーターの踏段。
【請求項６】
請求項５に記載のエスカレーターの踏段において、
前記警告表示部は、前記複数のライト部を、同時に、または時間的に異なって点滅させるように構成される、エスカレーターの踏段。
【発明の詳細な説明】
【技術分野】
【０００１】
本発明は、エスカレーターの踏段に関する。
【背景技術】
【０００２】
従来から、エスカレーターの踏段の進行方向に向かって左右方向の両端部には、デマケーションクリートが取り付けられている。デマケーションクリートは、例えば樹脂により幅の短い櫛歯状に形成され、踏段の左右方向両端部にネジ止め等により固定されている。デマケーションクリートは、エスカレーターの利用者の注意を引くような黄色等の目立つ色に着色されている。このようなデマケーションクリートによって、利用者が左右方向の端部に足を置かないように注意喚起がされる。このような注意喚起は、踏段と、踏段の横のスカートガードとの隙間に利用者のスカート等の衣服の裾、または靴が挟まることを防止するために必要である。
【０００３】
特許文献１には、エスカレーターの踏段における複数のクリート溝の底部付近に対向する２つの溝部を形成し、その溝部に薄板状の表示体を嵌め込むことが記載されている。装着された複数の表示体は一体となって、踏板に文字を表示する。
【０００４】
特許文献２には、エスカレーターの踏段における複数のクリート溝の壁面に、文字、図形、または記号、またはこれらの組み合わせによりなる広告表示を印刷したシールを、左右方向に分割して貼着することが記載されている。
【先行技術文献】
【特許文献】
【０００５】
【特許文献１】特開２００８−１７９４４１号公報
【特許文献２】特開２００６−５６６６７号公報
【発明の概要】
【発明が解決しようとする課題】
【０００６】
上記のようにデマケーションクリートによって、利用者に対し踏段の左右方向の端部に足を置かないように注意喚起がされているが、その効果はまだ十分とはいいきれない。これにより、注意喚起の効果がより高い手段が望まれる。特許文献１，２に記載された技術は、いずれも利用者に踏段の端部に足を置かないように注意喚起をするものではない。
【０００７】
本発明の目的は、エスカレーターの踏段において、既存の踏段から簡易に実現でき、かつ、踏段の左右方向の端部での利用者に対する注意喚起の効果を高くできる構造を提供することである。
【課題を解決するための手段】
【０００８】
本発明に係るエスカレーターの踏段は、複数個の踏段を無端状に連結した状態で循環移動するエスカレーターの踏段であって、少なくとも一部の前記踏段は、利用者が乗る踏板であって、左右方向に並んでそれぞれ進行方向に沿って形成された複数の踏板クリート溝を有する踏板と、前記踏板の進行方向一端に連結された立ち上がり部であるライザーと、前記踏板クリート溝に配置された警告表示部と、前記踏段に取り付けられた電池とを含み、前記警告表示部は、左右方向端部の前記踏板クリート溝に嵌め込まれた長尺薄板状の基板と、前記基板の上部に取り付けられ、前記電池により電力が供給される複数のライト部とを有し、前記複数のライト部の点灯または点滅によって利用者に注意を喚起する。
【発明の効果】
【０００９】
本発明に係るエスカレーターの踏段によれば、既存の踏段から簡易に実現でき、かつ、踏段の左右方向の端部での利用者に対する注意喚起の効果を高くできる。
【図面の簡単な説明】
【００１０】
【図１】本発明の実施形態の踏段を適用するエスカレーターの１例を示す概略断面図である。
【図２】実施形態の１つの踏段において警告表示部を取り付ける位置を示す斜視図である。
【図３】実施形態において、踏段を構成する踏板を上方から見た図（ａ）と、（ａ）のＡ部拡大図（ｂ）である。
【図４】実施形態において、踏段に警告表示部を取り付けた状態を示している図２の矢印Ｂ方向に見た図である。
【図５】実施形態における警告表示装置を示す斜視図である。
【図６】実施形態において、警告表示部の複数のライト部の点灯順序の１例を示す図である。
【発明を実施するための最良の形態】
【００１１】
以下において、図面を用いて本発明に係る実施の形態につき詳細に説明する。以下で説明する形状、個数などは説明のための例示であって、踏段を含むエスカレーターの仕様により変更が可能である。以下では同様の構成には同一の符号を付して説明する。
【００１２】
図１は、実施形態の踏段３０を適用するエスカレーター１０の一例を示す概略断面図である。エスカレーター１０は、トラス１２と、移送手段２０と、複数の踏段３０とを含んで構成される。トラス１２は、他の部材を支持する構造部分であり、エスカレーター１０の基礎部分を構成する。移送手段２０はトラス１２の内部に設けられ、複数の踏段３０を一方向に循環移動させる。複数の踏段３０の左右方向（図１の紙面の表裏方向）両側には、スカートガード１７を含む欄干１４が配置される。
【００１３】
移送手段２０は、駆動機構２１と、エスカレーター駆動装置２５とを含む。駆動機構２１は、無端状連結部材であるチェーン２２と、エスカレーターの上端部及び下端部に配置された２つのスプロケット２３，２４とを有し、チェーン２２は２つのスプロケット２３，２４に掛け渡される。エスカレーター駆動装置２５は、モータを含み、上記の駆動機構２１を駆動する。以下では、エスカレーターが下の階から上の階に、進行方向として図１の矢印α方向に利用者を上昇させる場合を説明するが、エスカレーターは利用者を上の階から下の階に下降させる構成でもよい。
【００１４】
図２は、１つの踏段３０において警告表示部を取り付ける位置を示す斜視図である。図３（ａ）は、踏段３０を構成する踏板３３を上方から見た図であり、図３（ｂ）は図３（ａ）のＡ部拡大図である。図４は、踏段３０に警告表示部４１を取り付けた状態を示している図２の矢印Ｂ方向に見た図である。
【００１５】
図２に示すように、各踏段３０は、踏板３３と、踏板３３の進行方向一端（図２の右端）に連結されたライザー３８と、踏板３３及びライザー３８の左右方向両端に結合された略三角形の側板３０ａとを含む。ここで、左右方向は、エスカレーター上の利用者が進行方向に向かう場合における左右方向を意味する。踏板３３は、利用者が乗るものであり、図３、図４に示すように、上面において、左右方向に並んでそれぞれ進行方向に沿って形成された複数の踏板クリート溝３４を有する。踏板３３の上面には、上方に突出し進行方向に長い長尺な複数の踏板櫛歯３５，３５ａが、左右方向に並んで形成される。踏板クリート溝３４は、隣り合う２つの踏板櫛歯３５，３５ａと、２つの踏板櫛歯３５，３５ａの間の底面とにより構成される。
【００１６】
踏板３３は、鉄またはアルミニウム合金等の金属により構成される踏板本体３３ａと、踏板本体３３ａの左右方向両端部に固定されたデマケーションクリート３７とを有する。デマケーションクリート３７は、樹脂により構成され、ネジ止めによって、踏板本体３３ａの左右方向両端部に固定される。複数の踏板櫛歯３５ａは、デマケーションクリート３７の上面に形成される。一方、複数の踏板櫛歯３５は、踏板本体３３ａの上面に形成される。デマケーションクリート３７は、黄色等の目立つ色に着色されている。図３では、斜線部によりデマケーションクリート３７の上から見える部分を示している。これにより、利用者が踏段３０の左右方向端部に乗らないように注意喚起がされる。
【００１７】
踏板３３上のライザー３８と反対側の長辺部にも、黄色等の目立つ色で着色された注意喚起部であるデマケーションコム３６が設けられている。図３では、斜格子部によりデマケーションコム３６を示している。
【００１８】
デマケーションクリート３７のうち、踏段３０の左右方向端部に位置する外端部には、警告表示装置４０を構成する警告表示部４１が固定されている。警告表示部４１は複数のライト部４２を含み、各ライト部４２の点灯または点滅により、利用者が踏段の左右方向端部に乗らないようにさらに注意喚起がされる。図２において、踏板３３上の斜線部βで示す左右方向両端部の少なくとも一部には、警告表示部４１が配置される。また、ライザー３８の斜線部γで示す左右方向両端部の少なくとも一部には、警告表示部４１の電源である後述の太陽電池５０（図４、図５）が配置される。警告表示装置４０は、後で詳しく説明する。
【００１９】
図２に示すように、ライザー３８は、踏板３３の進行方向一端に連結された立ち上がり部である。ライザー３８の側面には、図４に示すように、側方に突出し立ち上がり方向（図４の上下方向）に長い長尺な複数のライザー櫛歯３９ａが、左右方向に並んで形成される。隣り合う２つのライザー櫛歯３９ａと、２つのライザー櫛歯３９ａの間の底面とによって、ライザークリート溝３９ｂが形成される。これにより、ライザー３８は、左右方向に並んだ複数のライザークリート溝３９ｂを有し、それぞれのライザークリート溝３９ｂは、立ち上がり方向に沿って形成される。
【００２０】
さらに、図４に示すように、複数のライザークリート溝３９ｂのうち、左右方向両端部のライザークリート溝３９ｂには、左右方向両端に配置した警告表示装置４０を構成する太陽電池５０が嵌め込まれている。
【００２１】
図２に戻って、踏段３０には、左右方向（図２の左右方向）に伸びるステップ軸３１が、左右方向両端の側板３０ａを貫通して支持されている。複数の踏段３０におけるステップ軸３１は、チェーン２２に連結されており、このチェーン２２を介して複数の踏段３０が無端状に連結される。各ステップ軸３１の左右方向両端には、第１案内ローラ３２が回転可能に取付けられている。第１案内ローラ３２は、トラス１２（図１）において、複数の踏段３０の左右両側で上下に離れて配置された第１レール１３ａ、１３ｂに沿って移動する。図１ではエスカレーター１０は上り用であり、上側の第１レール１３ａ側で踏段３０は上昇し、下側の第１レール１３ｂ側で踏段３０は下降する。
【００２２】
図１に戻って、エスカレーター駆動装置２５は、上階近傍に配置されたモータの駆動によって上側のスプロケット２３を駆動して、ここに掛け渡されているチェーン２２を一方向に循環移動させる。これにより、エスカレーター駆動装置２５は、このチェーン２２に連結されている踏段３０を一方向に循環移動させる。モータの駆動は、エスカレーター制御装置（図示せず）により制御される。
【００２３】
次に、上記の図２〜４を参照しながら図５〜７を用いて警告表示装置４０を説明する。図５は、警告表示装置４０を示す斜視図である。警告表示装置４０は、警告表示部４１と、警告表示部４１にケーブル４６で接続された電池としての太陽電池５０とを含む。また、警告表示部４１は、基板４３と、複数のライト部４２とを有する。基板４３は、長尺薄板状であり、踏板３３において、左右方向端部（例えば最も外端）の踏板クリート溝３４に嵌め込まれる。複数のライト部４２は、基板４３の上部に１列に直線状に間隔をあけて並んで取り付けられる。ライト部４２は、例えばＬＥＤ（発光ダイオード）である。ライト部４２は電球等としてもよい。ライト部４２は、例えば黄色、オレンジ色等の利用者に対し目立つ色で発光する。基板４３の色は限定しないが、デマケーションクリート３７と同色（例えば黄色等）で、利用者に対し目立つ色としてもよい。このような警告表示部４１は、ライン表示器と呼ばれる場合がある。
【００２４】
警告表示部４１の基板４３の長手方向両端には、孔４４（図５）が形成され、その孔４４に挿入されたねじ４５（図３）により、警告表示部４１は踏板３３に固定される。
【００２５】
太陽電池５０は、長尺な薄板状に形成される。太陽電池５０は、例えば、光エネルギーを電気エネルギーに変換する光電変換部と、光電変換部の両側に配置された保護基板とを含んで構成される。太陽電池５０で光を受けて発電した電力は、ケーブル４６を介して警告表示部４１に供給される。警告表示部４１は、その電力を各ライト部４２に供給して各ライト部４２を点灯または点滅させることにより、利用者に注意を喚起する。
【００２６】
警告表示部４１及び太陽電池５０の左右方向における幅は、例えば３〜５ｍｍであり、それぞれ踏板クリート溝３４またはライザークリート溝３９ｂの内面の幅と同じか、または少し小さい。警告表示部４１は、左右方向端部の踏板クリート溝３４に嵌め込んで固定される。このとき、デマケーションクリート３７の貫通孔（図示せず）と、警告表示部４１の基板４３の孔４４とにねじ４５（図３）が貫通する。そして、そのねじ４５が、デマケーションクリート３７を踏板本体３３ａに固定するための踏板本体３３ａのねじ孔（図示せず）に結合される。これにより、基板４３は、踏板クリート溝３４の底部にネジ止めにより固定される。したがって、デマケーションクリート３７を有する既存の踏板３３に、警告表示部４１を容易に取り付けることが可能である。このとき、太陽電池５０は、左右方向端部のライザークリート溝３９ｂに嵌め込んで固定されることにより、踏段３０に取り付けられる。太陽電池５０は、両面テープによりライザークリート溝３９ｂの底部に固定されてもよい。
【００２７】
警告表示部４１の基板４３はネジ止めにより踏板クリート溝３４の底部に固定するものに限定せず、その基板４３が例えば両面テープにより、踏板クリート溝３４の底部に固定されてもよい。
【００２８】
また、警告表示部４１は、太陽電池５０から電力が供給された場合に、複数のライト部４２を、例えば図示しない発振回路部、ＩＣチップ等により構成される制御部等を用いて、同時に点滅させる、または時間的に異なって点滅させるように構成される。例えば発振回路部は、トランジスタ等の半導体スイッチと、半導体スイッチに接続されたコンデンサ及び抵抗とを有する。また、太陽電池と複数のライト部４２との間に制御部を接続し、制御部からのパルス信号を複数のライト部４２に順次出力することにより、複数のライト部が順次点滅されるように構成することもできる。また、複数のライト部４２と太陽電池５０との間に半導体スイッチが接続され、その半導体スイッチのオンオフ状態が制御部によって制御される構成としてもよい。発振回路部、制御部等の回路は、例えば基板４３に配置されてもよい。
【００２９】
図６は、警告表示部４１の複数のライト部４２の点灯順序の１例を示す図である。図６に示すように、複数のライト部４２が進行方向一方端（図６の下端）から他方端（図６の上端）に向かって、徐々に点滅されるように構成されてもよい。
【００３０】
上記の踏段３０によれば、既存の踏段に警告表示装置４０を容易に取り付けることができるので、既存の踏段から簡易に実現でき、かつ、踏段３０の左右方向の端部での利用者に対する注意喚起の効果を高くできる。特に、ライト部４２の点滅によって、利用者に対する注意喚起の効果をより高めることができる。
【００３１】
また、警告表示装置４０の電源として太陽電池５０を用いることにより、警告表示装置４０の電池交換の頻度を少なくできる。これにより、警告表示装置４０の修理、点検に要する費用を低減できる。また、上記の電源として電池を用いるので、踏段３０の外部から警告表示装置に電力を供給する場合と異なり、踏段３０によって循環移動する警告表示装置に対する電力供給手段を容易に確保できる。
【００３２】
なお、実施形態において、ライト部４２を点滅させる場合の点滅パターンは図６に示したパターンに限定しない。例えば、複数のライト部４２において、進行方向他方端から一方端に向けて順番に点滅させてもよいし、乱数発生器を用いた制御部によって、ランダムに点滅させてもよい。
【００３３】
また、上記では電池として太陽電池５０を用いる場合を説明したが、電池はケースに収容された乾電池を含む電池ユニットとしてもよい。
【００３４】
また、上記のように警告表示装置４０は、各踏段３０に取り付けることができるが、複数の踏段３０の一部の踏段のみに警告表示装置が取り付けられてもよい。例えば、複数の踏段３０のうち、１つ置きの踏段３０のみに警告表示装置が取り付けられてもよい。
【符号の説明】
【００３５】
１０  エスカレーター、１２  トラス、１３ａ，１３ｂ  駆動レール、１４  欄干、１７  スカートガード、２０  移送手段、２１  駆動機構、２２  チェーン、２３，２４  スプロケット、２５  エスカレーター駆動装置、３０  踏段、３１  ステップ軸、３２  第１案内ローラ、３３  踏板、３３ａ  踏板本体、３４  踏板クリート溝、３５，３５ａ  踏板櫛歯、３６  デマケーションコム、３７  デマケーションクリート、３８  ライザー、３９ａ  ライザー櫛歯、３９ｂ  ライザークリート溝、４０  警告表示装置、４１  警告表示部、４２  ライト部、４３  基板、４４  孔、４５  ねじ、４６  ケーブル、５０  太陽電池。
【図１】
2018167931.tif 000003
【図２】
2018167931.tif 000004
【図３】
2018167931.tif 000005
【図４】
2018167931.tif 000006
【図５】
2018167931.tif 000007
【図６】
2018167931.tif 000008